(57)【特許請求の範囲】
【請求項１】
希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該希釈亜塩素酸ナトリウム水溶液送液管から分岐し、該亜塩素酸水溶液送液管に繋がり、該希釈亜塩素酸ナトリウム水溶液送液管内の希釈亜塩素酸ナトリウム水溶液を、該亜塩素酸水溶液送液管に供給するための希釈亜塩素酸ナトリウム水溶液バイパス管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該希釈亜塩素酸ナトリウム水溶液バイパス管に設置され、該希釈亜塩素酸ナトリウム水溶液送液管内の希釈亜塩素酸ナトリウム水溶液の一部を該亜塩素酸水溶液送液管内に送液するためのバイパス管送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該二酸化塩素含有殺菌水送液管に設置され、二酸化塩素含有殺菌水中の二酸化塩素濃度を測定するための二酸化塩素濃度測定手段と、
該ｐＨ測定手段及び該バイパス管送液ポンプに電気的に繋がり、管理ｐＨ値が記憶され、該ｐＨ測定手段から送られてくるｐＨ値と該管理ｐＨ値とを対比し、該ｐＨ測定手段から送られてくるｐＨ値と、該管理ｐＨ値に差がある場合には、該ｐＨ測定手段から送られてくるｐＨ値と該管理ｐＨ値との差から、亜塩素酸水溶液のｐＨを、該管理ｐＨ値にするために必要な、該バイパス管送液ポンプの送液流量を算出し、該バイパス管送液ポンプに、送液流量変更命令を送る、第一演算部と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする二酸化塩素含有殺菌水の生成装置。
【請求項２】
前記ｐＨ測定手段と前記触媒酸化手段との間の前記亜塩素酸水溶液送液管に設置される中間タンクを有することを特徴とする請求項１記載の二酸化塩素含有殺菌水の生成装置。
【請求項３】
前記二酸化塩素濃度測定手段とユースポイントとの間の前記二酸化塩素含有殺菌水送液管に設置される切り替え弁と、
該切り替え弁に繋がる二酸化塩素含有殺菌水ブロー管と、
を有することを特徴とする請求項１又は２いずれか１項記載の二酸化塩素含有殺菌水の生成装置。
【発明の詳細な説明】
【技術分野】
【０００１】
本発明は、二酸化塩素を含有し、食品加工施設やビルの給水、畜産、生鮮品、病院の殺菌水、浄水又は排水等の殺菌に用いられる殺菌水（二酸化塩素含有殺菌水）の製造に用いられる二酸化塩素含有殺菌水の生成装置に関する。
【背景技術】
【０００２】
二酸化塩素を含有する水は、溶存している二酸化塩素ガスの強い酸化力を利用して、殺菌又は消臭機能を持つ殺菌剤として使用されており、野菜、海産物、食肉等の生鮮品の殺菌用、人口透析装置の逆浸透膜の殺菌用、飲料水、ビルの給水等の殺菌用、畜産の殺菌用、病院の殺菌水用と、広く殺菌に用いられている。そして、二酸化塩素の強い殺菌力から、二酸化塩素ガスは、低い濃度での使用が可能であり、殺菌用途又は殺菌対象により、濃度を調節されて使用される。
【０００３】
二酸化塩素を含有する水を製造する方法としては、例えば、特表２００４−５３６７６１号公報（特許文献１）、特開２０１３−１４４０８５号公報（特許文献２）、には、亜塩素酸ナトリウムのナトリウムイオンを水素イオンでイオン交換して、亜塩素酸を生じさせ、次いで、亜塩素酸を触媒反応により酸化させて、二酸化塩素を含有する水を得る方法が開示されている。
【先行技術文献】
【特許文献】
【０００４】
【特許文献１】特表２００４−５３６７６１号公報
【特許文献２】特開２０１３−１４４０８５号公報
【発明の概要】
【発明が解決しようとする課題】
【０００５】
殺菌に用いられる二酸化塩素含有水は、二酸化塩素濃度が低いのが通常であるため、本発明者らは、水溶液中の亜塩素酸ナトリウムをイオン交換及び触媒酸化して、連続して効率的に、二酸化塩素含有水を得るために、原料として、数％濃度の亜塩素酸ナトリウム水溶液を使用し、それを、イオン交換手段に希釈水を供給する送液管に供給して、その送液管中で、希釈亜塩素酸ナトリウム水溶液を得、得られる希釈亜塩素酸ナトリウム水溶液を、イオン交換及び触媒酸化して、二酸化塩素含有水を得、次いで、得られる二酸化塩素含有水を更に希釈水で希釈することにより、二酸化塩素を含有する殺菌水を得ることを試みた。
【０００６】
ところが、本発明者らが検討を重ねたところ、このようにして、二酸化塩素を含有する殺菌水を得る場合には、希釈した亜塩素酸ナトリウムをイオン交換して亜塩素酸に変換するときに、亜塩素酸ナトリウム水溶液の濃度が高いと、イオン交換手段により生成した亜塩素酸水溶液のｐＨが低くなる。そして、イオン交換手段により得られる亜塩素酸水溶液のｐＨは、触媒酸化手段により得られる二酸化塩素溶解水のｐＨは同じになる。ここで、二酸化塩素溶解水が、二酸化塩素濃度が高く且つｐＨが低い状態になると、二酸化塩素溶解水に溶存している二酸化塩素ガスが水中から放出される危険性がある。また、二酸化塩素溶解水のｐＨが低く、強酸性の場合、希釈して使用する場合でも、希釈液は酸性液となる。
【０００７】
従って、本発明の目的は、イオン交換後の亜塩素酸水溶液及び触媒酸化後の水溶液のｐＨが低くなり過ぎることなく、二酸化塩素を含有する殺菌水を製造することができる装置を提供することにある。
【課題を解決するための手段】
【０００８】
上記従来技術における課題は、以下に示す本発明により解決される。
すなわち、本発明は、希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該希釈亜塩素酸ナトリウム水溶液送液管から分岐し、該亜塩素酸水溶液送液管に繋がり、該希釈亜塩素酸ナトリウム水溶液送液管内の希釈亜塩素酸ナトリウム水溶液を、該亜塩素酸水溶液送液管に供給するための希釈亜塩素酸ナトリウム水溶液バイパス管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該希釈亜塩素酸ナトリウム水溶液バイパス管に設置され、該希釈亜塩素酸ナトリウム水溶液送液管内の希釈亜塩素酸ナトリウム水溶液の一部を該亜塩素酸水溶液送液管内に送液するためのバイパス管送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該二酸化塩素含有殺菌水送液管に設置され、二酸化塩素含有殺菌水中の二酸化塩素濃度を測定するための二酸化塩素濃度測定手段と、
該ｐＨ測定手段及び該バイパス管送液ポンプに電気的に繋がり、管理ｐＨ値が記憶され、該ｐＨ測定手段から送られてくるｐＨ値と該管理ｐＨ値とを対比し、該ｐＨ測定手段から送られてくるｐＨ値と、該管理ｐＨ値に差がある場合には、該ｐＨ測定手段から送られてくるｐＨ値と該管理ｐＨ値との差から、亜塩素酸水溶液のｐＨを、該管理ｐＨ値にするために必要な、該バイパス管送液ポンプの送液流量を算出し、該バイパス管送液ポンプに、送液流量変更命令を送る、第一演算部と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする二酸化塩素含有殺菌水の生成装置を提供するものである。
【発明の効果】
【０００９】
本発明によれば、イオン交換後の亜塩素酸水溶液及び触媒酸化後の水溶液のｐＨが低くなり過ぎることなく、具体的には、イオン交換後の亜塩素酸水溶液及び触媒酸化後の水溶液のｐＨが５〜６．５で、二酸化塩素を含有する殺菌水を製造することができる装置を提供することができる。
【図面の簡単な説明】
【００１０】
【図１】本発明の二酸化塩素含有殺菌水の生成装置の形態例のフロー図である。
【図２】本発明の二酸化塩素含有殺菌水の生成装置の形態例のフロー図である。
【図３】本発明の二酸化塩素含有殺菌水の生成装置の形態例のフロー図である。
【発明を実施するための形態】
【００１１】
本発明の第の形態の二酸化塩素含有殺菌水の生成装置は、希釈亜塩素酸ナトリウム水溶液中の亜塩素酸ナトリウムのナトリウムイオンを水素イオンにイオン交換して、亜塩素酸水溶液を得るためのイオン交換手段と、
該亜塩素酸水溶液中の亜塩素酸を酸化触媒により酸化して、二酸化塩素溶解水を得るための触媒酸化手段と、
一端側から亜塩素酸ナトリウム水溶液希釈用の希釈水が供給され、他端側が該イオン交換手段に繋がる希釈亜塩素酸ナトリウム水溶液送液管と、
一端側から高濃度亜塩素酸ナトリウム水溶液が供給され、他端側が該希釈亜塩素酸ナトリウム水溶液送液管に繋がる高濃度亜塩素酸ナトリウム水溶液送液管と、
一端側が該イオン交換手段に繋がり、他端側が該触媒酸化手段に繋がり、亜塩素酸水溶液が送液される亜塩素酸水溶液送液管と、
一端側から二酸化塩素溶解水希釈用の希釈水が供給され、他端側がユースポイントに繋がる二酸化塩素含有殺菌水送液管と、
一端側が該触媒酸化手段に繋がり、他端側が二酸化塩素含有殺菌水送液管に繋がり、二酸化塩素溶解水が送液される二酸化塩素溶解水送液管と、
該希釈亜塩素酸ナトリウム水溶液送液管から分岐し、該亜塩素酸水溶液送液管に繋がり、該希釈亜塩素酸ナトリウム水溶液送液管内の希釈亜塩素酸ナトリウム水溶液を、該亜塩素酸水溶液送液管に供給するための希釈亜塩素酸ナトリウム水溶液バイパス管と、
該高濃度亜塩素酸ナトリウム水溶液送液管に設置され、高濃度亜塩素酸ナトリウム水溶液を送液するための高濃度亜塩素酸ナトリウム水溶液送液ポンプと、
該希釈亜塩素酸ナトリウム水溶液バイパス管に設置され、該希釈亜塩素酸ナトリウム水溶液送液管内の希釈亜塩素酸ナトリウム水溶液の一部を該亜塩素酸水溶液送液管内に送液するためのバイパス管送液ポンプと、
該二酸化塩素溶解水送液管に設置され、二酸化塩素溶解水を送液するための二酸化塩素溶解水送液ポンプと、
該亜塩素酸水溶液送液管に設置され、亜塩素酸水溶液のｐＨを測定するためのｐＨ測定手段と、
該二酸化塩素含有殺菌水送液管に設置され、二酸化塩素含有殺菌水中の二酸化塩素濃度を測定するための二酸化塩素濃度測定手段と、
該ｐＨ測定手段及び該バイパス管送液ポンプに電気的に繋がり、管理ｐＨ値が記憶され、該ｐＨ測定手段から送られてくるｐＨ値と該管理ｐＨ値とを対比し、該ｐＨ測定手段から送られてくるｐＨ値と、該管理ｐＨ値に差がある場合には、該ｐＨ測定手段から送られてくるｐＨ値と該管理ｐＨ値との差から、亜塩素酸水溶液のｐＨを、該管理ｐＨ値にするために必要な、該バイパス管送液ポンプの送液流量を算出し、該バイパス管送液ポンプに、送液流量変更命令を送る、第一演算部と、
該二酸化塩素濃度測定手段及び該二酸化塩素溶解水送液ポンプに電気的に繋がり、管理二酸化塩素濃度値が記憶され、該二酸化塩素濃度測定手段から送られてくる二酸化塩素濃度値と該管理二酸化塩素濃度値とを対比し、該二酸化塩素濃度測定手段から送られてくる二酸化塩素濃度値と、該管理二酸化塩素濃度値に差がある場合には、該二酸化塩素濃度測定手段から送られてくる二酸化塩素濃度値と該管理二酸化塩素濃度値との差から、二酸化塩素含有殺菌水中の二酸化塩素濃度を、該管理二酸化塩素濃度値にするために必要な、該二酸化塩素溶解水送液ポンプの送液流量を算出し、該二酸化塩素溶解水送液ポンプに、送液流量変更命令を送る、第二演算部と、
を有することを特徴とする二酸化塩素含有殺菌水の生成装置である。
【００１２】
本発明の二酸化塩素含有殺菌水の生成装置について、図１を参照して説明する。
【００１３】
図１は、本発明の二酸化塩素含有殺菌水の生成装置の形態例のフロー図である。図１に示す二酸化塩素含有殺菌水の生成装置は、イオン交換手段２と、触媒酸化手段５と、を有する。また、図１に示す二酸化塩素含有殺菌水の生成装置は、高濃度亜塩素酸ナトリウム水溶液送液管４２と、希釈亜塩素酸ナトリウム水溶液送液管４１と、亜塩素酸水溶液送液管４３と、二酸化塩素溶解水送液管４４と、二酸化塩素含有殺菌水送液管４７と、希釈亜塩素酸ナトリウム水溶液バイパス管４８を有する。
【００１４】
イオン交換手段２は、希釈亜塩素酸ナトリウム水溶液５１中の亜塩素酸ナトリウムのナトリウムイオンを水素イオンにイオン交換して、亜塩素酸水溶液を得るための手段である。イオン交換手段としては、亜塩素酸ナトリウム水溶液中のナトリウムイオンを、水素イオンにイオン交換することができるＨ＋型のイオン交換体であれば、特に制限されない。Ｈ＋型のイオン交換体としては、例えば、陽イオン交換基を有し、その陽イオン交換基のカウンターカチオンが水素イオンであるＨ＋型の陽イオン交換樹脂や、Ｈ＋型の無機イオン交換体等が挙げられる。Ｈ＋型の無機イオン交換体としては、Ｈ＋型のゼオライト、Ｈ＋型のジルコニウム、酸化アンチモン等のＨ＋型の金属酸化物や、フェロシアン化錯体が挙げられる。
【００１５】
触媒酸化手段５は、亜塩素酸水溶液（ｐＨ調整後）５２中の亜塩素酸を酸化触媒により酸化して、二酸化塩素溶解水５３を得るための手段である。触媒酸化手段５としては、亜塩素酸水溶液中の亜塩素酸を酸化して、二酸化塩素溶解水を生成させることができる酸化触媒であれば、特に制限されない。触媒酸化手段としては、例えば、Ｐｄ、Ｐｔ等が担持されているアルミナ、Ｐｄ、Ｐｔ等が担持されているゼオライト、二酸化マンガン等の酸化触媒が挙げられる。
【００１６】
希釈亜塩素酸ナトリウム水溶液送液管４１は、高濃度亜塩素酸ナトリウム水溶液３１を希釈するための希釈水３２を、装置外からイオン交換手段２まで送液するための送液管であり、一端側から亜塩素酸ナトリウム水溶液希釈用の希釈水３２が供給され、他端側がイオン交換手段２に繋がっている。希釈亜塩素酸ナトリウム水溶液送液管４１の途中には、高濃度亜塩素酸ナトリウム水溶液送液管４２が繋がっている。この高濃度亜塩素酸ナトリウム水溶液送液管４２は、希釈亜塩素酸ナトリウム水溶液送液管４１内の亜塩素酸ナトリウム水溶液希釈用の希釈水３２に、高濃度亜塩素酸ナトリウム水溶液３１を供給するための送液管であり、一端側から高濃度亜塩素酸ナトリウム水溶液３１が供給され、他端側が希釈亜塩素酸ナトリウム水溶液送液管４１に繋がっている。そして、希釈亜塩素酸ナトリウム水溶液送液管４１内の亜塩素酸ナトリウム水溶液希釈用の希釈水３２に、高濃度亜塩素酸ナトリウム水溶液３１が供給されることで、希釈亜塩素酸ナトリウム水溶液送液管４１内で、希釈亜塩素酸ナトリウム水溶液５１が調製される。
【００１７】
亜塩素酸水溶液送液管４３は、イオン交換手段２と触媒酸化手段５とを繋ぎ、イオン交換手段２により生成された亜塩素酸水溶液を、触媒酸化手段５に送液するための送液管であり、一端側がイオン交換手段２に繋がり、他端側が触媒酸化手段５に繋がっている。
【００１８】
二酸化塩素含有殺菌水送液管４７は、二酸化塩素溶解水５３を希釈するための希釈水３３ａを、装置外からユースポイントまで送液するための送液管であり、一端側から二酸化塩素溶解水希釈用の希釈水３３ａが供給され、他端側がユースポイントに繋がる。二酸化塩素含有殺菌水送液管４７の途中には、二酸化塩素溶解水送液管４４が繋がっている。この二酸化塩素溶解水送液管４４は、二酸化塩素含有殺菌水送液管４７内の二酸化塩素溶解水希釈用の希釈水３３ａに、触媒酸化手段５で亜塩素酸を酸化して得られる二酸化塩素溶解水５３を供給するための送液管であり、一端側が触媒酸化手段５に繋がり、他端側が二酸化塩素含有殺菌水送液管４７に繋がっている。そして、二酸化塩素含有殺菌水送液管４７内の二酸化塩素溶解水希釈用の希釈水３３ａに、二酸化塩素溶解水５３が供給されることで、二酸化塩素含有殺菌水送液管４７内で、二酸化塩素含有殺菌水３６が製造される。
【００１９】
希釈亜塩素酸ナトリウム水溶液バイパス管４８は、希釈亜塩素酸ナトリウム送液管４１内の希釈亜塩素酸ナトリウム水溶液５１の一部を、イオン交換手段２を通さずに、亜塩素酸水溶液送液管４３内に供給するためのバイパス管であり、希釈亜塩素酸ナトリウム水溶液送液管４１から分岐し、亜塩素酸水溶液送液管４３に繋がる。希釈亜塩素酸ナトリウム水溶液バイパス管４８の分岐位置、つまり、希釈亜塩素酸ナトリウム水溶液バイパス管４８が希釈亜塩素酸ナトリウム水溶液送液管４１に繋がる位置は、高濃度亜塩素酸ナトリウム水溶液送液管４２が希釈亜塩素酸ナトリウム水溶液送液管４１に繋がる位置より後で、且つ、イオン交換手段２より手前である。また、希釈亜塩素酸ナトリウム水溶液バイパス管４８が亜塩素酸水溶液送液管４３に繋がる位置は、イオン交換手段２より後で、且つ、ｐＨ測定手段３より手前である。そして、亜塩素酸水溶液送液管４３内の亜塩素酸水溶液（ｐＨ調整前）５４、すなわち、イオン交換手段２でイオン交換処理された直後の二酸化塩素水溶液に、希釈亜塩素酸ナトリウム水溶液５１が供給されることで、亜塩素酸水溶液送液管４３内で、亜塩素酸水溶液（ｐＨ調整前）５４に希釈亜塩素酸ナトリウム水溶液５１が混合されて、亜塩素酸水溶液のｐＨが調整され、亜塩素酸水溶液（ｐＨ調整後）が得られる。
【００２０】
図１に示す二酸化塩素含有殺菌水の生成装置では、高濃度亜塩素酸ナトリウム水溶液送液管４２に、高濃度亜塩素酸ナトリウム水溶液送液ポンプ１１が設置されている。高濃度亜塩素酸ナトリウム水溶液送液ポンプ１１は、希釈亜塩素酸ナトリウム水溶液送液管４１内に、高濃度亜塩素酸ナトリウム水溶液３１を、供給量を調節して供給するための送液ポンプである。
【００２１】
また、図１に示す二酸化塩素含有殺菌水の生成装置では、二酸化塩素溶解水送液管４４に、二酸化塩素溶解水送液ポンプ１３が設置されている。二酸化塩素溶解水送液ポンプ１３は、触媒酸化手段５で得られる二酸化塩素溶解水５３を、二酸化塩素含有殺菌水送液管４７に送液するための送液ポンプである。
【００２２】
また、図１に示す二酸化塩素含有殺菌水の生成装置では、希釈亜塩素酸ナトリウム水溶液バイパス管４８に、バイパス管送液ポンプ１６が設置されている。バイパス管送液ポンプ１６は、希釈亜塩素酸ナトリウム水溶液送液管４１内から、希釈亜塩素酸ナトリウム水溶液送液管５１の一部を抜出し、亜塩素酸水溶液送液管４３内に、希釈亜塩素酸ナトリウム水溶液５１を、供給量を調節して供給するための送液ポンプである。
【００２３】
また、図１に示す二酸化塩素含有殺菌水の生成装置では、希釈亜塩素酸ナトリウム水溶液バイパス管４８が繋がる位置より後の亜塩素酸水溶液送液管４３に、亜塩素酸水溶液のｐＨを測定するためのｐＨ測定手段３が設置されている。
【００２４】
また、図１に示す二酸化塩素含有殺菌水の生成装置では、二酸化塩素含有殺菌水送液管４７に、二酸化塩素含有殺菌水３６中の二酸化塩素濃度を測定するための二酸化塩素濃度測定手段７が設置されている。
【００２５】
そして、図１に示す二酸化塩素含有殺菌水の生成装置は、ｐＨ測定手段３及びバイパス管送液ポンプ１６に電気的に繋がり、管理ｐＨ値が記憶され、ｐＨ測定手段３から送られてくるｐＨ値と管理ｐＨ値とを対比し、ｐＨ測定手段３から送られてくるｐＨ値と、管理ｐＨ値に差がある場合には、ｐＨ測定手段３から送られてくるｐＨ値と管理ｐＨ値との差から、亜塩素酸水溶液（ｐＨ調整後）のｐＨを、管理ｐＨ値にするために必要な、バイパス管送液ポンプ１６の希釈亜塩素酸ナトリウム水溶液５１の送液流量を算出し、バイパス管送液ポンプに、送液流量変更命令を送る、第一演算部２６を有する。第一演算部２６は、記憶部に管理ｐＨ値が記憶されており、ｐＨ測定手段３から送られてくるｐＨ値と、管理ｐＨ値に差がある場合には、ｐＨ測定手段３から送られてくるｐＨ値と管理ｐＨ値との差から、亜塩素酸水溶液（ｐＨ調整後）のｐＨを、管理ｐＨ値にするために必要な、バイパス管送液ポンプ１６の希釈亜塩素酸ナトリウム水溶液５１の送液流量を算出し、その送液流量に変更するように、バイパス管送液ポンプ１６に、送液流量変更命令を送るプログラムが組み込まれている電子計算機である。なお、管理ｐＨ値とは、触媒酸化手段５での酸化に供せられる亜塩素酸水溶液のｐＨ値の設定値を指す。また、亜塩素酸水溶液（ｐＨ調整後）のｐＨを、管理ｐＨ値にするために必要な、バイパス管送液ポンプの希釈亜塩素酸ナトリウム水溶液の送液流量を算出し、その送液流量に変更するとは、ｐＨ測定手段により測定されるｐＨ値が、管理ｐＨ値より高い場合には、バイパス管送液ポンプの送液流量を少なくして、ｐＨ測定手段により測定されるｐＨ値が、管理ｐＨ値になるように調節することを指し、また、ｐＨ測定手段により測定されるｐＨ値が、管理ｐＨ値より低い場合には、バイパス管送液ポンプの送液流量を多くして、ｐＨ測定手段により測定されるｐＨ値が、管理ｐＨ値になるように調節することを指す。なお、ｐＨ測定手段により測定されるｐＨ値と、管理ｐＨ値とに、どの程度の差があったときに、バイパス管送液ポンプの送液流量を変更する命令を送る必要があるｐＨ差（有効ｐＨ差）とするかは、殺菌水の用途、殺菌水中の二酸化塩素濃度の設定値等により、適宜選択される。
【００２６】
なお、図１に示す二酸化塩素含有殺菌水の生成装置では、イオン交換手段２で得られた亜塩素酸水溶液に、希釈亜塩素酸ナトリウム水溶液が混合されることにより、触媒酸化手段５に供給される亜塩素酸水溶液のｐＨが調整される。そして、イオン交換手段の出口から、希釈亜塩素酸ナトリウム水溶液バイパス管が繋がる位置までの間の亜塩素酸ナトリウムが、ｐＨ調整前の亜塩素酸水溶液であり、本発明では、このｐＨ調整前の亜塩素酸水溶液を、亜塩素酸水溶液（ｐＨ調整前）５４と記載し。また、希釈亜塩素酸ナトリウム水溶液バイパス管が繋がる位置から、触媒酸化手段５までの間の亜塩素酸ナトリウムが、ｐＨ調整後の亜塩素酸水溶液であり、本発明では、このｐＨ調整後の亜塩素酸水溶液を、亜塩素酸水溶液（ｐＨ調整後）５２と記載する。
【００２７】
また、図１に示す二酸化塩素含有殺菌水の生成装置では、二酸化塩素濃度測定手段７及び二酸化塩素溶解水送液ポンプ１３に電気的に繋がり、管理二酸化塩素濃度値が記憶され、二酸化塩素濃度測定手段７から送られてくる二酸化塩素濃度値と管理二酸化塩素濃度値とを対比し、二酸化塩素濃度測定手段７から送られてくる二酸化塩素濃度値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、二酸化塩素溶解水送液ポンプ１３に、送液流量変更命令を送る、第二演算部が設けられている。第二演算部は、記憶部に管理二酸化塩素濃度が記憶されており、二酸化塩素濃度測定手段７から送られてくる二酸化塩素濃度値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、その送液流量に変更するように、二酸化塩素溶解水送液ポンプ１３に、送液流量変更命令を送るプログラムが組み込まれている電子計算機である。なお、管理二酸化塩素濃度値とは、製造目的とする二酸化塩素含有殺菌水３６の二酸化塩素濃度の設定値を指す。また、二酸化塩素含有殺菌水中の二酸化塩素濃度を、管理二酸化塩素濃度値にするために必要な、二酸化塩素溶解水送液ポンプの送液流量を算出し、その送液流量に変更するとは、二酸化塩素濃度測定手段により測定される二酸化塩素濃度値が、管理二酸化塩素濃度値より大きい場合には、二酸化塩素溶解水送液ポンプの送液流量を少なくして、二酸化塩素濃度測定手段により測定される二酸化塩素濃度値が、管理二酸化塩素濃度値になるように調節することを指し、また、二酸化塩素濃度測定手段により測定される二酸化塩素濃度値が、管理二酸化塩素濃度値より小さい場合には、二酸化塩素溶解水送液ポンプの送液流量を多くして、二酸化塩素濃度測定手段により測定される二酸化塩素濃度値が、管理二酸化塩素濃度値になるように調節することを指す。なお、二酸化塩素濃度測定手段により測定される二酸化塩素濃度値と、管理二酸化塩素濃度値とに、どの程度の差があったときに、二酸化塩素溶解水送液ポンプの送液流量を変更する命令を送る必要がある濃度差（有効濃度差）とするかは、殺菌水の用途、殺菌水中の二酸化塩素濃度の設定値等により、適宜選択される。また、第一演算部と第二演算部用のプラグラムは、同じ電子計算機に組み込まれていてもよいし、それぞれ別々の電子計算機に組み込まれていてもよい。
【００２８】
また、図１に示す二酸化塩素含有殺菌水の生成装置では、高濃度亜塩素酸ナトリウム水溶液の供給位置より手前の希釈亜塩素酸ナトリウム水溶液送液管４１に、加圧ポンプ１２が設置されている。加圧ポンプ１２は、イオン交換手段２から触媒酸化手段５まで液圧を確保するために設置されるポンプであるが、設置は任意である。例えば、加圧ポンプ１２を設置せずに、水道からの水圧で、イオン交換手段２から触媒酸化手段５まで液圧を確保することもできる。
【００２９】
また、図１に示す二酸化塩素含有殺菌水の生成装置では、二酸化塩素溶解水の供給位置より手前の二酸化塩素含有殺菌液送液管４７に、加圧ポンプ１５が設置されている。加圧ポンプ１５は、ユースポイントに供給される二酸化塩素含有殺菌水の液圧を確保するために設置されるポンプであるが、設置は任意である。例えば、加圧ポンプ１５を設置せずに、水道からの水圧で、二酸化塩素含有殺菌水の液圧を保つこともできる。
【００３０】
次いで、図１に示す二酸化塩素含有殺菌水の生成装置を用いて、二酸化塩素含有殺菌水を製造する方法について説明する。先ず、希釈亜塩素酸ナトリウム水溶液送液管４１に、亜塩素酸ナトリウム水溶液希釈用の希釈水３２を供給しながら、高濃度亜塩素酸ナトリウム水溶液送液管４２に、高濃度亜塩素酸ナトリウム水溶液３１を供給する。そして、希釈亜塩素酸ナトリウム水溶液送液管４１に、亜塩素酸ナトリウム水溶液希釈用の希釈水３２を供給しながら、高濃度亜塩素酸ナトリウム水溶液送液管４２に、高濃度亜塩素酸ナトリウム３１を供給することにより、希釈亜塩素酸ナトリウム水溶液送液管４１内で、イオン交換に供せられる希釈亜塩素酸ナトリウム水溶液５１が調製され、イオン交換手段２に供給される。高濃度亜塩素酸ナトリウム３１中の亜塩素酸ナトリウムの濃度は、製造目的の二酸化塩素含有殺菌水中の二酸化塩素濃度の設定値により、適宜選択される。例えば、食品用の殺菌水の場合には、高濃度亜塩素酸ナトリウム水溶液３１中の亜塩素酸ナトリウムの濃度は、５〜２５質量％、好ましくは５〜７．５質量％である。また、亜塩素酸ナトリウム水溶液希釈用の希釈水３２は、特に制限されず、例えば、水道水、イオン交換水、蒸留水、活性炭や逆浸透膜で処理された処理水等が挙げられ、殺菌水の用途に応じて、適宜選択される。また、希釈亜塩素酸ナトリウム水溶液５１中の亜塩素酸ナトリウムの濃度は、製造目的の二酸化塩素含有殺菌水中の二酸化塩素濃度の設定値により、適宜選択される。希釈亜塩素酸ナトリウム水溶液３１中の亜塩素酸ナトリウムの濃度は、通常、０．１〜０．４質量％、好ましくは０．２〜０．３質量％である。
【００３１】
次いで、イオン交換手段２により、希釈亜塩素酸ナトリウム水溶液５１中の亜塩素酸ナトリウムのナトリウムイオンを、水素イオンにイオン交換して、亜塩素酸水溶液（ｐＨ調整前）５４を得る。
【００３２】
次いで、イオン交換手段２により得られる亜塩素酸水溶液（ｐＨ調整前）５４に、希釈亜塩素酸ナトリウム水溶液バイパス管４８から希釈亜塩素酸ナトリウム水溶液５１を適量混合して、亜塩素酸水溶液送液管４３内でｐＨを調節して、亜塩素酸水溶液（ｐＨ調整後）を得、得られる亜塩素酸水溶液（ｐＨ調整後）を、触媒酸化手段５に送液し、触媒酸化手段５により、亜塩素酸水溶液（ｐＨ調整後）中の亜塩素酸を酸化して、二酸化塩素溶解水５３を得る。
【００３３】
次いで、二酸化塩素含有殺菌水送液管４７に、二酸化塩素溶解水希釈用の希釈水３３ａを供給しながら、二酸化塩素溶解水送液ポンプ１３で、二酸化塩素含有殺菌水送液管４７内に、触媒酸化手段５により得られる二酸化塩素溶解水５３を供給する。そして、二酸化塩素含有殺菌水送液管４７に、二酸化塩素溶解水希釈用の希釈水３３ａを供給しながら、二酸化塩素溶解水送液ポンプ１３で、二酸化塩素含有殺菌水送液管４７内に、触媒酸化手段５により得られる二酸化塩素溶解水５３を供給することにより、二酸化塩素含有殺菌水送液管４７内で、二酸化塩素含有殺菌水３６が製造され、ユースポイントに供給される。二酸化塩素含有殺菌水３６中の二酸化塩素の濃度は、用途に応じて、適宜選択される。二酸化塩素含有殺菌水３６中の二酸化塩素の濃度は、通常、０．１〜２００ｍｇ／Ｌ、好ましくは１〜１００ｍｇ／Ｌ、特に好ましくは１０〜２０ｍｇ／Ｌである。
【００３４】
このようにして、図１に示す二酸化塩素含有殺菌水の生成装置では、二酸化塩素含有殺菌水が製造され、製造された二酸化塩素含有殺菌水が、ユースポイントに供給されるが、二酸化塩素含有殺菌水の製造中、イオン交換手段２から出てくる亜塩素酸水溶液中の亜塩素酸濃度は、全く同じ濃度で推移することはなく、常に、変動している。そして、何らかの要因で、亜塩素酸水溶液中の亜塩素酸濃度が、所望の濃度範囲より、低くなり過ぎたり、あるいは、高くなり過ぎたりすることがある。亜塩素酸水溶液中の亜塩素酸濃度が、所望の濃度範囲より、低くなり過ぎたり、あるいは、高くなり過ぎた亜塩素酸水溶液を、触媒酸化手段５に送液すると、最終的に、ユースポイントに供給される二酸化塩素含有殺菌水中の二酸化塩素濃度のバラツキが大きくなってしまう。そこで、ｐＨ測定手段３で、亜塩素酸水溶液のｐＨを測定することによって、亜塩素酸水溶液中の亜塩素酸濃度が、所望の濃度範囲内になっているか否かを判断し、そして、亜塩素酸水溶液の管理ｐＨ値を予め定めておき、ｐＨの測定値と、管理ｐＨ値に差がある場合には、ｐＨ測定手段３から送られてくるｐＨ値と管理ｐＨ値との差から、亜塩素酸水溶液（ｐＨ調整後）のｐＨを、管理ｐＨ値にするために必要な、バイパス管送液ポンプ１６の希釈亜塩素酸ナトリウム水溶液の送液流量を算出し、その送液流量に、バイパス管送液ポンプ１６の送液流量を変更する。このことにより、本発明の二酸化塩素含有殺菌水の生成装置では、希釈亜塩素酸ナトリウム水溶液バイパス管４８が繋がる位置より後に送液される亜塩素酸水溶液の濃度のバラツキを小さくすることができるので、二酸化塩素濃度のバラツキが小さい二酸化塩素含有殺菌水を製造することができる。このような、ｐＨ測定手段からのｐＨ測定値の取得、ｐＨ測定値と管理ｐＨ値との対比、対比結果に基づくバイパス管送液ポンプへの命令による制御は、第一演算部により行われる。
【００３５】
また、亜塩素酸ナトリウムは、イオン交換手段で処理されると、酸である亜塩素酸が生成するので、イオン交換処理後の亜塩素酸水溶液は酸性であるが、亜塩素酸水溶液のｐＨが５より低くなると、水溶液中に塩素ガスが発生し易くなる。そのため、ｐＨが低過ぎる亜塩素酸水溶液を、イオン交換手段より後に送液することは好ましくない。そこで、イオン交換処理された直後の亜塩素酸水溶液（ｐＨ調整前）に、希釈亜塩素酸ナトリウム水溶液バイパス管から、希釈亜塩素酸ナトリウム水溶液を混合する。このことにより、希釈亜塩素酸ナトリウム水溶液のｐＨが低くなり過ぎないようにすることができる。
【００３６】
また、図１に示す二酸化塩素含有殺菌水の生成装置では、二酸化塩素含有殺菌水の製造中、二酸化塩素濃度測定手段７で、二酸化塩素含有殺菌水３６中の二酸化塩素濃度を測定し、二酸化塩素濃度の測定値と、管理二酸化塩素濃度値とを対比し、二酸化塩素濃度の測定値と、管理二酸化塩素濃度値に差がある場合には、二酸化塩素濃度測定手段７から送られてくる二酸化塩素濃度値と管理二酸化塩素濃度値との差から、二酸化塩素含有殺菌水中の二酸化塩素濃度を、管理二酸化塩素濃度値にするために必要な、二酸化塩素溶解水送液ポンプ１３の送液流量を算出し、その送液流量に、二酸化塩素溶解水送液ポンプ１３の送液流量を変更する。このことにより、本発明の二酸化塩素含有殺菌水の生成装置では、二酸化塩素濃度のバラツキが小さい二酸化塩素含有殺菌水を製造することができる。このような、二酸化塩素濃度測定手段からの二酸化塩素濃度値の取得、二酸化塩素濃度の測定値と管理二酸化塩素濃度値との対比、対比結果から送液流量の計算、送液流量に基づく、二酸化塩素溶解水送液ポンプへの命令による制御は、第二演算部により行われる。
【００３７】
また、本発明の二酸化塩素含有殺菌水の生成装置は、ｐＨ測定手段と触媒酸化手段との間の亜塩素酸水溶液送液管に設置される中間タンクを有することができる。
【００３８】
図２は、中間タンクを有する本発明の二酸化塩素含有殺菌水の生成装置の形態例のフロー図である。図２に示す二酸化塩素含有殺菌水の生成装置では、図１に示す二酸化塩素含有殺菌水の生成装置に、更に、中間タンク４が設置されており、イオン交換手段２と触媒酸化手段５とを繋ぐ亜塩素酸水溶液送液管４３の途中に、中間タンク４が設置されている。中間タンク４には、中間タンク４内の圧力を調節するために、中間タンク４内に加圧ガスを供給する加圧ガス供給管３７と、中間タンク４内のガスを排出する加圧ガス排出管３９が付設されている。なお、中間タンク４への加圧ガス供給管３７と加圧ガス排出管３９の設置は任意である。亜塩素酸水溶液送液管４３は、イオン交換手段２と触媒酸化手段５とを、中間タンク４を経て繋ぐ送液管であり、一端側がイオン交換手段２に繋がり、他端側が触媒酸化手段５に繋がっている。そして、亜塩素酸水溶液送液管４３の途中には、中間タンク４が設置されている。亜塩素酸水溶液送液管４３は、イオン交換手段２により生成された亜塩素酸水溶液を、中間タンク４を経て、触媒酸化手段５まで送液するための送液管である。
【００３９】
そして、図２に示す二酸化塩素含有殺菌水の生成装置を用いて、二酸化塩素含有殺菌水を製造する方法では、希釈亜塩素酸ナトリウム水溶液５１をイオン交換手段２でイオン交換処理し、更に、希釈亜塩素酸水溶液５１を混合してｐＨ調整した亜塩素酸水溶液（ｐＨ調整後）５２を、中間タンク４に送液する。次いで、中間タンク４内の亜塩素酸水溶液（ｐＨ調整後）５２を、触媒酸化手段５に送液して、触媒酸化手段５により、亜塩素酸水溶液（ｐＨ調整後）５２中の亜塩素酸を酸化して、二酸化塩素溶解水５３を得る。
【００４０】
また、本発明の二酸化塩素含有殺菌水の生成装置は、二酸化塩素濃度測定手段とユースポイントとの間の二酸化塩素殺菌水送液管に設置される切り替え弁と、切り替え弁に繋がる二酸化塩素含有殺菌水ブロー管と、を有することができる。
【００４１】
図３は、切り替え弁と二酸化塩素含有殺菌水ブロー管とを有する本発明の二酸化塩素含有殺菌水の生成装置の形態例のフロー図である。図３に示す二酸化塩素含有殺菌水の生成装置では、図１に示す二酸化塩素含有殺菌水の生成装置に、更に、二酸化塩素濃度測定手段７とユースポイントとの間の二酸化塩素含有殺菌水送液管４７に、切り替え弁２８が設置されており、この切り替え弁２８に、二酸化塩素含有殺菌水ブロー管４９が繋がっている。切り替え弁２８は、二酸化塩素含有殺菌水が、ユースポイントへ向かう方向か、二酸化塩素含有殺菌水ブロー管４９か、のいずれかに流れるように、流れ方向を切り替えるための弁である。
【００４２】
そして、図３に示す本発明の二酸化塩素含有殺菌水の生成装置は、二酸化塩素濃度測定手段７及び切り替え弁２８に電気的に繋がり、管理二酸化塩素濃度範囲が記憶され、二酸化塩素濃度測定手段７から送られてくる二酸化塩素濃度値と管理二酸化塩素濃度範囲とを対比し、二酸化塩素濃度測定手段から送られてくる二酸化塩素濃度値が、管理二酸化塩素濃度範囲から外れたときには、切り替え弁２８に、液流れをブロー側に切り替える命令を送り、二酸化塩素濃度測定手段７から送られてくる二酸化塩素濃度値が、管理二酸化塩素濃度範囲に戻ったときには、切り替え弁２８に、液流れを通常流れ側に切り替える命令を送る、第三演算部２９を有する。第三演算部２９は、記憶部に管理二酸化塩素濃度範囲が記憶されており、二酸化塩素濃度測定手段７から送られてくる二酸化塩素濃度値と管理二酸化塩素濃度範囲とを対比して、その対比結果により、切り替え弁２８に、液流れをブロー側に切り替える命令を送り、あるいは、切り替え弁２８に、液流れを通常流れ側に切り替える命令を送るプログラムが組み込まれている電子計算機である。なお、管理二酸化塩素濃度値とは、二酸化塩素含有殺菌水３６の二酸化塩素濃度のバラツキ範囲として許容される二酸化塩素濃度の範囲を指す。管理二酸化塩素濃度値は、殺菌水の用途、殺菌水中の二酸化塩素濃度の設定値等により、適宜選択される。また、液流れをブロー側に切り替えるとは、ユースポイントに送液されている二酸化塩素含有殺菌水３６が、ユースポイントに向かう二酸化塩素含有殺菌水送液管４７には送液されず、且つ、二酸化塩素含有殺菌水ブロー管４９に送液されるように切り替えることを指す。また、液流れを通常流れ側に切り替えるとは、二酸化塩素含有殺菌水ブロー管４９に送液されている二酸化塩素含有殺菌水３６が、二酸化塩素含有殺菌水ブロー管４９には送液されず、且つ、ユースポイントに向かう二酸化塩素含有殺菌水送液管４７に送液されるように切り替えることを指す。なお、第三演算部用のプラグラムは、第一演算部用のプログラム又は第二演算部用のプログラムと、同じ電子計算機に組み込まれていてもよいし、それぞれ別々の電子計算機に組み込まれていてもよい。
【００４３】
図３に示す二酸化塩素含有殺菌水の生成装置を用いて、二酸化塩素含有殺菌水を製造する方法では、二酸化塩素含有殺菌水の製造中に、二酸化塩素含有殺菌水３６の二酸化塩素濃度が、管理二酸化塩素濃度範囲から外れてしまったときに、切り替え弁２８で、二酸化塩素含有殺菌水の流れ方向を切り替えて、管理二酸化塩素濃度範囲から外れてしまった二酸化塩素含有殺菌水を、二酸化塩素含有殺菌水排水５７として装置外に排出する。
【００４４】
亜塩素酸ナトリウムは、（１）式に示すように、水溶液中でＮａ＋とＣｌＯ２−に解離しており、そして、（２）式に示すように、亜塩素酸ナトリウムのナトリウムイオンが水素イオンにイオン交換されると、亜塩素酸が生成する。
ＮａＣｌＯ２→Ｎａ＋＋ＣｌＯ２−    （１）
Ｎａ＋＋ＣｌＯ２−→Ｈ＋＋ＣｌＯ２−→ＨＣｌＯ２  （２）
次いで、（３）式に示すように、亜塩素酸が酸化されると、二酸化塩素が生成する。
５ＨＣｌＯ２→４ＣｌＯ２＋ＨＣｌ＋２Ｈ２Ｏ    （３）
このようなことから、亜塩素酸ナトリウムを、単にイオン交換し、次いで、酸化しただけでは、強酸性の二酸化塩素溶解水が得られてしまう。
ここで、式（３）で得られる水溶液に、亜塩素酸ナトリウムを加えると、式（４）に示すように、水溶液が亜塩素酸ナトリウムで中和されるため、二酸化塩素溶解水のｐＨを５〜６．５にすることができる。
４ＣｌＯ２＋ＨＣｌ＋ＮａＣｌＯ２→４ＣｌＯ２＋ＮａＣｌ＋ＨＣｌＯ２    （４）
【００４５】
本発明の二酸化塩素含有殺菌水の製造装置において、イオン交換直後の亜塩素酸水溶液送液管中の亜塩素酸水溶液は、強酸性になるが、アルカリ性である亜塩素酸ナトリウムがバイパス管から注入されることで、弱酸性になる。そして、本発明の二酸化塩素含有殺菌水の製造装置では、酸化前の亜塩素酸水溶液に亜塩素酸ナトリウムを混合することで、酸化後の水溶液を、式（４）で示される、強酸性の二酸化塩素溶解水が亜塩素酸ナトリウムで中和された水溶液と同様な状態にすることができ、ｐＨが５〜６．５の二酸化塩素溶解水が得られる。
【００４６】
ｐＨが５〜６．５に弱酸性化された二酸化塩素溶解水は、高濃度で二酸化塩素が溶解しているにもかかわらず、取扱いが安全である。そして、本発明の二酸化塩素含有殺菌水の製造装置では、ｐＨ５〜６．５で、二酸化塩素が溶解している二酸化塩素溶解水を扱うことができるので、本発明の二酸化塩素含有殺菌水の製造装置によれば、安全に二酸化塩素含有殺菌水を製造することができる。
【００４７】
また、中間タンクを設置する場合、亜塩素酸水溶液のｐＨが２以下だと、中間タンクで水溶液を貯めている間に、時間の経過に伴い、亜塩素酸から二酸化塩素が生成するため、貯留時間が長くなると、水溶液中から二酸化塩素が放出される危険がある。本発明の二酸化塩素含有殺菌水の製造装置では、亜塩素酸水溶液を、ｐＨ５〜６．５にしてから、中間タンクに移送することができるので、本発明の二酸化塩素含有殺菌水の製造装置によれば、中間タンクで貯留中に、水溶液から二酸化塩素が放出されるという危険を回避することができる。
【００４８】
このようにして、本発明の二酸化塩素含有殺菌水の製造装置では、二酸化塩素含有殺菌水が得られる。そして、本発明の二酸化塩素含有殺菌水の製造装置により得られる二酸化塩素含有殺菌水は、主たる殺菌成分として、二酸化塩素（ＣｌＯ２）及び亜塩素酸（ＨＣｌＯ２）を含有し、その他の成分として、ナトリウムイオン、副生成物として、亜塩素酸イオン、塩素酸イオン及び塩素を含有する。つまり、本発明の二酸化塩素含有殺菌水の製造装置は、二酸化塩素及び亜塩素酸を含有する殺菌水の製造装置である。
【００４９】
本発明の二酸化塩素含有殺菌水の製造装置では、亜塩素酸水溶液に亜塩素酸ナトリウムを混合して、水溶液を弱酸性にしているが、亜塩素酸水溶液又は二酸化塩素水溶液を弱酸性にしても、得られる二酸化塩素含有殺菌水中の二酸化塩素濃度は変化しないため、弱酸性にすることによっては、殺菌力は低下することがない。そして、本発明の二酸化塩素含有殺菌水の製造装置では、弱酸性化した二酸化塩素含有水である二酸化塩素溶解水を、ユースポイントでの要求に応じて、希釈水で希釈することにより、二酸化塩素濃度がユースポイントで要求される濃度に調節された二酸化塩素含有殺菌水を得る。
【００５０】
また、本発明の二酸化塩素含有殺菌水の製造装置では、触媒酸化手段で酸化することにより、式（４）に示すように、二酸化塩素及び塩酸を含有する水溶液が、亜塩素酸ナトリウムで中和されて弱酸性化されたものと同様の二酸化塩素溶解水を得ているが、言い換えると、アルカリ性の亜塩素酸ナトリウムが、酸性の二酸化塩素及び塩酸を含有する水溶液により弱酸性化された、弱酸性化亜塩素酸ナトリウム水溶液を得ているとも言える。つまり、本発明の二酸化塩素含有殺菌水の製造装置は、弱酸性化亜塩素酸ナトリウム水溶液の製造装置とも言える。
【符号の説明】
【００５１】
２          イオン交換手段
３          ｐＨ測定手段
４          中間タンク
５          触媒酸化手段
６          二酸化炭素溶解手段
７          二酸化塩素濃度測定手段
１１        高濃度亜塩素酸ナトリウム水溶液送液ポンプ
１２        加圧ポンプ
１３        二酸化塩素溶解水送液ポンプ
１４        加圧ポンプ
１５        加圧ポンプ
１６        バイパス管送液ポンプ
２２        ガス流量調節器
２６        第一演算部
２７        第二演算部
２８        切り替え弁
２９        第三演算部
３１        高濃度亜塩素酸ナトリウム水溶液
３２        希釈水
３３ａ、３３ｂ  希釈水
３４        二酸化炭素溶解用の水
３６        二酸化塩素含有殺菌水
３７        加圧ガス供給管
３８        二酸化炭素
３９        加圧ガス排出管
４１        希釈亜塩素酸ナトリウム水溶液送液管
４２        高濃度亜塩素酸ナトリウム水溶液送液管
４３        亜塩素酸水溶液送液管
４４        二酸化塩素溶解水送液管
４５        二酸化炭素供給管
４６        二酸化炭素溶解用水送液管
４７        二酸化塩素含有殺菌水送液管
４８        希釈亜塩素酸ナトリウム水溶液バイパス管
４９        二酸化塩素含有殺菌水ブロー管
５１        希釈亜塩素酸ナトリウム水溶液
５２        亜塩素酸水溶液（ｐＨ調整後）
５３        二酸化塩素溶解水
５４        亜塩素酸水溶液（ｐＨ調整前）
５６        亜塩素酸水溶液排水
５７        二酸化塩素含有殺菌水排水
【図１】
0006491010.tif 000002
【図２】
0006491010.tif 000003
【図３】
0006491010.tif 000004